(57)【特許請求の範囲】
【請求項１】
把持部と、
前記把持部の端部に連結され、外周面を有し、周方向の長さが変更され得る毛髪巻付構造体と、
前記毛髪巻付構造体の前記周方向の長さを変更するように構成された周長変更機構と、
前記外周面から発熱するように前記毛髪巻付構造体を加熱し得る加熱部と、
前記周長変更機構が前記毛髪巻付構造体の前記周方向の長さを変更する前後のいずれにおいても、前記毛髪巻付構造体と協働して毛髪を挟持するように構成された押さえ板と、を備え、
前記毛髪巻付構造体は、それぞれが前記毛髪巻付構造体の長手方向に延び、かつ、前記毛髪巻付構造体の前記周方向において互いに隣接するように配置された第１の巻付胴体部および第２の巻付胴体部を含み、
前記周長変更機構は、前記第1の巻付胴体部と前記第２の巻付胴体部とを相対的に移動させることにより、前記毛髪巻付構造体の周方向の長さを変更するように構成され、
前記毛髪巻付構造体は、前記第１の巻付胴体部および前記第２の巻付胴体部の内側に設けられ、前記毛髪巻付構造体の前記長手方向に延びる第３の巻付胴体部を含み、
前記周長変更機構は、前記第1の巻付胴体部と前記第２の巻付胴体部との間に前記第３の巻付胴体部を挿入することにより、前記毛髪巻付構造体の周方向の長さを変更するように構成された、ヘアーアイロン。
【請求項２】
把持部と、
前記把持部の端部に連結され、外周面を有し、周方向の長さが変更され得る毛髪巻付構造体と、
前記毛髪巻付構造体の前記周方向の長さを変更するように構成された周長変更機構と、
前記外周面から発熱するように前記毛髪巻付構造体を加熱し得る加熱部と、
前記周長変更機構が前記毛髪巻付構造体の前記周方向の長さを変更する前後のいずれにおいても、前記毛髪巻付構造体と協働して毛髪を挟持するように構成された押さえ板と、を備え、
前記毛髪巻付構造体は、それぞれが前記毛髪巻付構造体の長手方向に延び、かつ、前記毛髪巻付構造体の前記周方向において互いに隣接するように配置された第１の巻付胴体部および第２の巻付胴体部を含み、
前記周長変更機構は、前記第1の巻付胴体部と前記第２の巻付胴体部とを相対的に移動させることにより、前記毛髪巻付構造体の周方向の長さを変更するように構成され、
前記周長変更機構は、前記第１の巻付胴体部と前記第２の巻付胴体部とを、前記毛髪巻付構造体の前記長手方向に延びる仮想の回転軸まわりに相対的に回転させることにより、前記毛髪巻付構造体の周方向の長さを変更するように構成された、ヘアーアイロン。
【請求項３】
前記第１の巻付胴体部は、前記押さえ板に対する位置が固定されており、
前記押さえ板が前記第１の巻付胴体部と協働して毛髪を挟持し得るように構成された、請求項１または２に記載のヘアーアイロン。
【請求項４】
前記周長変更機構は、前記毛髪巻付構造体の長手方向に延びる他の仮想の回転軸まわりに回転する回転構造体を含み、
前記周長変更機構は、前記把持部に対する位置および姿勢が固定されている構造体であって、かつ、前記回転構造体と協働して前記第１の巻付胴体部と前記第２の巻付胴体部とを相対的に移動させる状態固定構造体を含む、請求項１〜３のいずれかに記載のヘアーアイロン。
【請求項５】
把持部と、
前記把持部の端部に連結され、外周面を有し、周方向の長さが変更され得る毛髪巻付構造体と、
前記毛髪巻付構造体の前記周方向の長さを変更するように構成された周長変更機構と、
前記外周面から発熱するように前記毛髪巻付構造体を加熱し得る加熱部と、
前記周長変更機構が前記毛髪巻付構造体の前記周方向の長さを変更する前後のいずれにおいても、前記毛髪巻付構造体と協働して毛髪を挟持するように構成された押さえ板と、を備え、
前記毛髪巻付構造体は、それぞれが前記毛髪巻付構造体の長手方向に延び、かつ、前記毛髪巻付構造体の前記周方向において互いに隣接するように配置された第１の巻付胴体部および第２の巻付胴体部を含み、
前記周長変更機構は、前記第1の巻付胴体部と前記第２の巻付胴体部とを相対的に移動させることにより、前記毛髪巻付構造体の周方向の長さを変更するように構成され、
前記周長変更機構は、前記毛髪巻付構造体の長手方向に延びる他の仮想の回転軸まわりに回転する回転構造体を含み、
前記周長変更機構は、前記把持部に対する位置および姿勢が固定されている構造体であって、かつ、前記回転構造体と協働して前記第１の巻付胴体部と前記第２の巻付胴体部とを相対的に移動させる状態固定構造体を含み、
前記回転構造体は、
前記毛髪巻付構造体内において前記毛髪巻付構造体の前記長手方向に延び、かつ、前記他の仮想の回転軸まわりに回転する回転シャフトと、
前記回転シャフトの一方端に固定された第１の回転部材と、
前記回転シャフトの他方端に固定された第２の回転部材と、を有し、
前記第２の巻付胴体部の両端部は、それぞれ、前記第１の回転部材および前記第２の回転部材に摺動可能に支持されており、
前記第２の巻付胴体部は、前記第１の回転部材および前記第２の回転部材の回転にともなって前記第１の回転部材および前記第２の回転部材に対して摺動することにより、前記第１の巻付胴体部に対して相対的に移動するように構成された、ヘアーアイロン。
【請求項６】
前記状態固定構造体は、前記第２の巻付胴体部の移動開始状態および移動終了状態のそれぞれにおいて、前記回転構造体の状態を固定することが可能に構成された、請求項５に記載のヘアーアイロン。
【請求項７】
前記状態固定構造体は、
前記回転シャフトの一方の端部が摺動可能に貫通し、前記第１の巻付胴体部の一方の端部に固定された第１の状態固定部材と、
前記回転シャフトの他方の端部が摺動可能に貫通し、前記第１の巻付胴体部の他方の端部に固定された第２の状態固定部材と、を有し、
前記第１の状態固定部材および前記第２の状態固定部材は、それぞれ、前記第２の巻付胴体部の移動開始状態および移動終了状態のそれぞれにおいて、前記第１の回転部材および前記第２の回転部材の状態を固定することが可能に構成された、請求項５に記載のヘアーアイロン。
【請求項８】
前記回転構造体は、前記第１の回転部材および前記第２の回転部材の少なくともいずれか一方に固定されたスイッチを有し、
前記スイッチは、前記移動開始状態と前記移動終了状態との切り替えがなされるように、前記回転構造体を回転させるものである、請求項７に記載のヘアーアイロン。
【請求項９】
前記回転構造体は、該回転構造体と前記状態固定構造体との間に生じる摩擦力を利用して、前記状態固定構造体に対して無段階に回転摺動し、前記状態固定構造体に対する位置関係が無段階に固定されるように構成された、請求項４〜８のいずれかに記載のヘアーアイロン。
【請求項１０】
把持部と、
前記把持部の端部に連結され、外周面を有し、周方向の長さが変更され得る毛髪巻付構造体と、
前記毛髪巻付構造体の前記周方向の長さを変更するように構成された周長変更機構と、
前記外周面から発熱するように前記毛髪巻付構造体を加熱し得る加熱部と、
前記周長変更機構が前記毛髪巻付構造体の前記周方向の長さを変更する前後のいずれにおいても、前記毛髪巻付構造体と協働して毛髪を挟持するように構成された押さえ板と、を備え、
前記毛髪巻付構造体は、それぞれが前記毛髪巻付構造体の長手方向に延び、かつ、前記毛髪巻付構造体の前記周方向において互いに隣接するように配置された第１の巻付胴体部および第２の巻付胴体部を含み、
前記周長変更機構は、前記第1の巻付胴体部と前記第２の巻付胴体部とを相対的に移動させることにより、前記毛髪巻付構造体の周方向の長さを変更するように構成され、
前記周長変更機構は、前記毛髪巻付構造体の長手方向に延びる他の仮想の回転軸まわりに回転する回転構造体を含み、
前記周長変更機構は、前記把持部に対する位置および姿勢が固定されている構造体であって、かつ、前記回転構造体と協働して前記第１の巻付胴体部と前記第２の巻付胴体部とを相対的に移動させる状態固定構造体を含み、
前記回転構造体は、前記状態固定構造体に設けられた複数の係止部にそれぞれ係止される複数の被係止部を含み、前記状態固定構造体に対して段階的に回転し、前記状態固定構造体に対する位置関係が段階的に固定されるように構成された、ヘアーアイロン。
【請求項１１】
把持部と、
前記把持部の端部に連結され、外周面を有し、周方向の長さが変更され得る毛髪巻付構造体と、
前記毛髪巻付構造体の前記周方向の長さを変更するように構成された周長変更機構と、
前記外周面から発熱するように前記毛髪巻付構造体を加熱し得る加熱部と、
前記周長変更機構が前記毛髪巻付構造体の前記周方向の長さを変更する前後のいずれにおいても、前記毛髪巻付構造体と協働して毛髪を挟持するように構成された押さえ板と、を備え、
前記毛髪巻付構造体は、それぞれが前記毛髪巻付構造体の長手方向に延び、かつ、前記毛髪巻付構造体の前記周方向において互いに隣接するように配置された第１の巻付胴体部および第２の巻付胴体部を含み、
前記周長変更機構は、前記第1の巻付胴体部と前記第２の巻付胴体部とを相対的に移動させることにより、前記毛髪巻付構造体の周方向の長さを変更するように構成され、
前記加熱部は、
前記第１の巻付胴体部に固定され、前記第１の巻付胴体部を加熱する第１の加熱部と、
前記第２の巻付胴体部に固定され、前記第２の巻付胴体部を加熱する第２の加熱部と、を含む、ヘアーアイロン。
【請求項１２】
前記第１の巻付胴体部および前記第２の巻付胴体部のうちの少なくともいずれか一方に固定され、前記外周面の温度を測定する温度センサと、
前記温度センサにより取得された温度情報に基づいて前記第１の加熱部および前記第２の加熱部を制御する制御部と、を備えた、請求項１１に記載のヘアーアイロン。
【請求項１３】
前記押さえ板に連結され、前記押さえ板を前記毛髪巻付構造体へ近づけたり、前記押さえ板を前記毛髪巻付構造体から遠ざけたりすることを可能にする操作部を備え、
前記操作部が、前記把持部に回動可能に取り付けられた、請求項１〜１２のいずれかに記載のヘアーアイロン。
【発明の詳細な説明】
【技術分野】
【０００１】
本発明は、毛髪に癖付けを施すためのヘアーアイロンに関するものである。
【背景技術】
【０００２】
従来から、毛髪に癖付け施すためにヘアーアイロンが用いられている。この従来のヘアーアイロンは、使用者が把持する把持部の一端に連結され、発熱可能な外周面を有する毛髪巻付構造体と、その外周面と協働して毛髪を挟持し得る押さえ板とを備えている。このようなヘアーアイロンは、たとえば、次の特許文献１に開示されている。
【先行技術文献】
【特許文献】
【０００３】
【特許文献１】特開２００７−２６００５９号公報
【発明の概要】
【発明が解決しようとする課題】
【０００４】
従来のヘアーアイロンによれば、毛髪に癖付けをすると、毛髪巻付構造体の外周面の形状が毛髪に転写される。したがって、たとえば、毛髪をカール形状に癖付けするときには、そのカール形状の曲率は、毛髪巻付構造体の外周面の形状に対応した１種類に限定される。そのため、異なる複数種類の癖付けを毛髪に施すことを可能にするためには、使用者は、複数種類のヘアーアイロンを準備しておくか、または、取替え可能な複数種類の毛髪巻付構造体を準備しておくことが必要になる。つまり、１台のヘアーアイロンで複数種類の癖付けを毛髪に施すことはできない。
【０００５】
本発明は、上述の問題に鑑みなされたものであり、１台で複数種類の癖付けを毛髪に施すことができるヘアーアイロンを提供することを目的とする。
【課題を解決するための手段】
【０００６】
前記従来の課題を解決するために、本発明のヘアーアイロンは、把持部と、前記把持部の端部に連結され、外周面を有し、周方向の長さが変更され得る毛髪巻付構造体と、前記毛髪巻付構造体の前記周方向の長さを変更するように構成された周長変更機構と、前記外周面から発熱するように前記毛髪巻付構造体を加熱し得る加熱部と、前記周長変更機構が前記周方向の長さを変更する前後のいずれにおいても、前記毛髪巻付構造体と協働して前記毛髪を挟持するように構成された押さえ板と、を備えている。
【０００７】
これによれば、毛髪が巻き付けられる毛髪巻付構造体の周方向の長さを他の部材を使用することなく変更することができる。それにより、１台のヘアーアイロンで毛髪巻付構造体の周方向の長さの相違に対応した複数種類の癖付けを毛髪に対して施すことができる。したがって、使用者は、複数種類の癖付けを施すことを可能にするために、複数種類の癖付けに対応した複数種類の毛髪巻付構造体または複数種類のヘアーアイロンを所持する必要がなくなる。
【００１２】
以下、図面を参照しながら、本発明の実施の形態のヘアーアイロン１０を説明する。なお、以下に説明される実施の形態の説明においては、ヘアーアイロン１０の長手方向に垂直な断面を横断面とする。
【発明の効果】
【００１３】
本発明によれば、１台のヘアーアイロンで複数種類の癖付けを毛髪に施すことができる。
【図面の簡単な説明】
【００１４】
【図１】本発明の実施の形態１のヘアーアイロンの正面図である。
【図２】本発明の実施の形態１のヘアーアイロンの側面図である。
【図３】本発明の実施の形態１のヘアーアイロンの平面図である。
【図４】本発明の実施の形態１のヘアーアイロンの縦断面図であって、図１におけるＩＶ−ＩＶ線断面図である。
【図５】本発明の実施の形態１のヘアーアイロンの把持部の横断面図であって、図１および図２におけるＶ−Ｖ線断面図である。
【図６】本発明の実施の形態１のヘアーアイロンの横断面図であって、図１、図２、および図４のＶＩ−ＶＩ線断面図である。
【図７】本発明の実施の形態１のヘアーアイロンの分解斜視図である。
【図８】本発明の実施の形態１のヘアーアイロンの回転ダイヤルの横断面図であって、図１、図２、および図４のＶＩＩＩ−ＶＩＩＩ線断面図である。
【図９】本発明の実施の形態１のヘアーアイロンの第１および第２の回転部材（カム）の第１の状態を示す図であって、図１、図２、および図４のＩＸ−ＩＸ線断面図である。
【図１０】本発明の実施の形態１のヘアーアイロンの第１および第２の回転部材（カム）の第２の状態を示すであって、図１、図２、および図４のＩＸ−ＩＸ線断面図である。
【図１１】本発明の実施の形態１のヘアーアイロンの毛髪巻付構造体の第１の状態の横断面図であって、図１、図２、および図４のＸＩ−ＸＩ線断面図である。
【図１２】本発明の実施の形態１のヘアーアイロンの毛髪巻付構造体の第２の状態の横断面図である。
【図１３】本発明の実施の形態１のヘアーアイロンの駆動支点を説明するための図である。
【図１４】本発明の実施の形態１のヘアーアイロンの駆動支点を説明するための図であって、図１、図２、および図４のＸＩＶ−ＸＩＶ線断面図である。
【図１５】本発明の実施の形態２におけるヘアーアイロンの毛髪巻付構造体の横断面の第１の状態を示す模式図である。
【図１６】本発明の実施の形態２におけるヘアーアイロンの毛髪巻付構造体の横断面の第２の状態を示す模式図である。
【図１７】本発明の実施の形態のヘアーアイロンの使用方法における把持ステップを説明するための図である。
【図１８】本発明の実施の形態のヘアーアイロンの使用方法における加熱ステップを説明するための図である。
【図１９】本発明の実施の形態のヘアーアイロンの使用方法における周長変更前の挟持ステップを説明するための図である。
【図２０】本発明の実施の形態のヘアーアイロンの使用方法における周長変更前の巻付ステップおよび引離ステップを説明するための図である。
【図２１】本発明の実施の形態のヘアーアイロンの使用方法における変更ステップを説明するための図である。
【図２２】本発明の実施の形態のヘアーアイロンの使用方法における周長変更後の挟持ステップを説明するための図である。
【図２３】本発明の実施の形態のヘアーアイロンの使用方法における周長変更後の巻付ステップおよび引離ステップを説明するための図である。
【発明を実施するための形態】
【００１５】
本発明の第１の実施の形態のヘアーアイロンは、把持部と、前記把持部の端部に連結され、外周面を有し、周方向の長さが変更され得る毛髪巻付構造体と、前記毛髪巻付構造体の前記周方向の長さを変更するように構成された周長変更機構と、前記外周面から発熱するように前記毛髪巻付構造体を加熱し得る加熱部と、前記周長変更機構が前記周方向の長さを変更する前後のいずれにおいても、前記毛髪巻付構造体と協働して毛髪を挟持するように構成された押さえ板と、を備えている。
【００１６】
これによれば、毛髪巻付構造体の周方向の長さを他の部材を使用することなく変更することができる。それにより、１台のヘアーアイロンで毛髪巻付構造体の周方向の長さの相違に対応した複数種類の癖付けを毛髪に対して施すことができる。したがって、使用者は、複数種類の癖付けを施すことを可能にするために、複数種類の癖付けに対応した複数種類の毛髪巻付構造体または複数種類のヘアーアイロンを所持する必要がなくなる。
【００１７】
本発明の第２の実施の形態のヘアーアイロンは、前記毛髪巻付構造体が、それぞれが前記毛髪巻付構造体の長手方向に延び、かつ、前記毛髪巻付構造体の前記周方向において互いに隣接するように配置された第１の巻付胴体部および第２の巻付胴体部を含み、前記周長変更機構は、前記第1の巻付胴体部と前記第２の巻付胴体部とを相対的に移動させることにより、前記毛髪巻付構造体の周方向の長さを変更するように構成されている。
【００１８】
これによれば、第１の巻付胴体部と第２の巻付胴体部との相対的な移動により形成された隙間の分だけ、毛髪巻付構造体の周方向の長さを変更することができる。
【００１９】
本発明の第３の実施の形態のヘアーアイロンは、前記毛髪巻付構造体が、前記第１の巻付胴体部および前記第２の巻付胴体部の内側に設けられ、前記毛髪巻付構造体の長手方向に延びる第３の巻付胴体部を含み、前記周長変更機構は、前記第1の巻付胴体部と前記第２の巻付胴体部との間に前記第３の巻付胴体部を挿入することにより、前記毛髪巻付構造体の周方向の長さを変更するように構成されている。
【００２０】
これによれば、第３の巻付胴体部の外周面の周方向の長さの分だけ、毛髪巻付構造体の周方向の長さを変更することができる。
【００２１】
本発明の第４の実施の形態のヘアーアイロンは、前記周長変更機構が、前記第１の巻付胴体部と前記第２の巻付胴体部とを、前記毛髪巻付構造体の長手方向に延びる仮想の回転軸まわりに相対的に回転させることにより、前記毛髪巻付構造体の周方向の長さを変更するように構成されている。
【００２２】
本発明の第５の態様のヘアーアイロンは、前記周長変更機構が、前記第１の巻付胴体部および前記第２の巻付胴体部の少なくともいずれか一方を前記毛髪巻付構造体の径方向に移動させることにより、前記毛髪巻付構造体の周方向の長さを変更するように構成されている。
【００２３】
これによれば、直線方向の移動という簡単な移動で周方向の長さの変更を実現することができる。
【００２４】
本発明の第６の実施の形態のヘアーアイロンは、前記第１の巻付胴体部が、前記押さえ板に対する位置が固定されており、前記押さえ板が前記第１の巻付胴体部と協働して毛髪を挟持し得るように構成されている。
【００２５】
これによれば、周長変更機構が毛髪巻付構造体の周方向における長さを変更した場合も含めて、押さえ板と第１の巻付胴体部との互いの位置関係は、常に一定に保持されている。そのため、第２の巻付胴体部は、押さえ板と第１の巻付胴体部との間の隙間の大きさおよびそれらが毛髪を挟持する力を一定に維持し易くすることができる。その結果、ヘアーアイロンの操作性が向上する。
【００２６】
本発明の第７の実施の形態のヘアーアイロンは、前記周長変更機構は、前記毛髪巻付構造体の長手方向に延びる他の仮想の回転軸まわりに回転する回転する回転構造体を含み、前記周長変更機構は、前記把持部に対する位置および姿勢が固定されている構造体であって、かつ、前記回転構造体と協働して前記第１の巻付胴体部と前記第２の巻付胴体部とを相対的に移動させる状態固定構造体を含んでいる。
【００２７】
これによれば、使用者は、回転構造体を回転させる操作により、第１の巻付胴体部と第２の巻付胴体部とを相対的に移動させることができる。
【００２８】
本発明の第８の実施の形態のヘアーアイロンは、前記状態固定構造体が、前記第２の巻付胴体部の移動開始状態および移動終了状態のそれぞれにおいて、前記回転構造体の状態を固定することが可能に構成されている。
【００２９】
これによれば、毛髪巻付構造体の周方向の長さが変更された状態を維持することができる。
【００３０】
本発明の第９の実施の形態のヘアーアイロンは、前記回転構造体が、前記毛髪巻付構造体内において前記仮想の軸に沿って延び、かつ、前記他の仮想の回転軸まわりに回転する回転シャフトと、前記回転シャフトの一方端に固定された第１の回転部材と、前記回転シャフトの他方端に固定された第２の回転部材と、を有し、前記第２の巻付胴体部の両端部は、それぞれ、前記第１の回転部材および前記第２の回転部材に摺動可能に支持されており、前記第２の巻付胴体部は、前記第１の回転部材および前記第２の回転部材の回転にともなって前記第１の回転部材および前記第２の回転部材に対して摺動することにより、前記第１の巻付胴体部に対して相対的に移動するように構成されている。
【００３１】
これによれば、毛髪巻付構造体の長さ方向の両側にある第１の回転部材および第２の回転部材を用いて第２の巻付胴体を移動させることができる。したがって、第２の巻付胴体部の移動時における第２の巻付胴体部の支持が安定する。
【００３２】
本発明の第１０の実施の形態のヘアーアイロンは、前記状態固定構造体が、前記回転シャフトの一方の端部が摺動可能に貫通し、前記第１の巻付胴体部の一方の端部に固定された第１の状態固定部材と、前記回転シャフトの他方の端部が摺動可能に貫通し、前記第２の巻付胴体部の他方の端部に固定された第２の状態固定部材と、を有し、前記第１の状態固定部材および前記第２の状態固定部材は、それぞれ、前記第２の巻付胴体部の移動開始状態および移動終了状態のそれぞれにおいて、前記第１の回転部材および前記第２の回転部材の状態を固定することが可能に構成されている。
【００３３】
これによれば、毛髪巻付構造体の周方向の長さが変更された状態を、毛髪巻付構造体の長さ方向における両側に分けて配置された第１の状態固定部材および第２の状態固定部材によって維持することができる。したがって、毛髪巻付構造体の周方向の長さが変更された状態を安定させることができる。
【００３４】
本発明の第１１の実施の形態のヘアーアイロンは、前記回転構造体は、前記第１の回転部材および前記第２の回転部材の少なくともいずれか一方に固定されたスイッチを有し、前記スイッチは、前記移動開始状態と前記移動終了状態との切り替えがなされるように、前記回転構造体を回転させるものである。
【００３５】
これによれば、使用者は、スイッチの操作により、毛髪巻付構造体の周方向の長さを容易に変更することができる。
【００３６】
本発明の第１２の実施の形態のヘアーアイロンは、前記回転構造体が、該回転構造体と前記状態固定構造体との間に生じる摩擦力を利用して、前記状態固定構造体に対して無段階に回転摺動し、前記状態固定構造体に対する位置関係が無段階に固定されるように構成されている。
【００３７】
これによれば、使用者は、毛髪巻付構造体の周方向の長さを自らの好みの長さに変更することができる。
【００３８】
本発明の第１３の実施の形態のヘアーアイロンは、前記回転構造体が、前記状態固定構造体に対して段階的に回転し、前記状態固定構造体に対する位置関係が段階的に固定されるように構成されていている。
【００３９】
これによれば、使用者は、毛髪巻付構造体の周方向の長さを自らの好みに合わせて、段階的に変更することができる。
【００４０】
本発明の第１４の実施の形態のヘアーアイロンは、前記加熱部は、前記第１の巻付胴体部に固定され、前記第１の巻付胴体部を加熱する第１の加熱部と、前記第２の巻付胴体部に固定され、前記第２の巻付胴体部を加熱する第２の加熱部と、を含んでいる。
【００４１】
これによれば、第１の加熱部および第２の加熱部は、それぞれ、第１の巻付胴体部および第２の巻付胴体部の移動に伴って移動する。したがって、第１の巻付胴体部と第２の巻付胴体部との相対的な移動の前後のいずれにおいも、第１の巻付胴体部と第２の巻付胴体部とに同様の態様で加熱することができる。
【００４２】
本発明の第１５の実施の形態のヘアーアイロンは、前記第１の巻付胴体部および前記第２の巻付胴体部のうちの少なくともいずれか一方に固定され、前記外周面の温度を測定する温度センサと、前記温度センサにより取得された温度情報に基づいて前記第１の加熱部および前記第２の加熱部を制御する制御部と、を備えている。
【００４３】
これによれば、温度センサは、第１の巻付胴体部および第２の巻付胴体部のうちの少なくともいずれか一方の移動に伴って移動する。そのため、外周面の温度測定の条件の変化なしに、外周面の温度情報を取得することができる。したがって、第１の加熱部および第２の加熱部の発熱状態を容易に制御することができる。
【００４４】
本発明の第１６の実施の形態のヘアーアイロンは、前記押さえ板に連結され、前記押さえ板を前記毛髪巻付構造体へ近づけたり、前記押さえ板を前記毛髪巻付構造体から遠ざけたりすることを可能にする操作部を備え、前記操作部が、前記把持部に回動可能に取り付けられている。
【００４５】
これによれば、毛髪巻付構造体に押さえ板の回動の中心が設けられている場合に比較して、毛髪巻付構造体の周方向の長さの変更に起因した押さえ板の回動の中心の移動がないため、周長変更の前後の押さえ板の操作性が向上する。
【００４６】
本発明の第１７の実施の形態のヘアーアイロンの使用方法は、使用者が把持部を把持するステップと、前記使用者が、前記ヘアーアイロンに設けられた機構であって、前記把持部の端部に連結された毛髪巻付構造体の周方向の長さを変更するように構成された周長変更機構を操作して、前記毛髪巻付構造体の周方向の長さを変更するステップと、前記使用者が、前記毛髪巻付構造体を加熱するように構成された加熱部を操作して、前記把持部の端部に連結された毛髪巻付構造体の外周面から熱を発生させるステップと、前記使用者が、前記毛髪巻付構造体と協働して毛髪を挟持するように構成された押さえ板を操作して、前記熱が発生している前記外周面と前記押さえ板とに前記毛髪を挟持させるステップと、前記使用者が、前記熱が発生している前記外周面と前記押さえ板とにより前記毛髪が挟持された状態で、前記毛髪巻付構造体および前記押さえ板に前記毛髪を巻付けるステップと、前記使用者が、前記毛髪巻付構造体および前記押さえ板に巻き付けられた前記毛髪から前記毛髪巻付構造体および前記押さえ板を引き離す引離ステップと、を備えている。
【００４７】
これにより、変更され得る毛髪巻付構造体の周方向の長さごとに、毛髪に複数種類の癖付けを施すことができる。
【００４８】
本発明の第１８の実施の形態のヘアーアイロンの使用方法は、使用者が把持部を把持するステップと、前記使用者が、毛髪巻付構造体を加熱するように構成された加熱部を操作して、前記把持部の端部に連結された前記毛髪巻付構造体の外周面から熱を発生させる加熱ステップと、前記使用者が、前記毛髪巻付構造体と協働して毛髪を挟持するように構成された押さえ板を操作して、前記熱が発生している前記外周面と前記押さえ板とに前記毛髪を挟持させる第１の挟持ステップと、前記使用者が、前記熱が発生している前記外周面と前記押さえ板とにより前記毛髪が挟持された状態で、前記毛髪巻付構造体および前記押さえ板に前記毛髪を巻付ける第１の巻付ステップと、前記使用者が、前記第１の巻付ステップにおいて前記毛髪巻付構造体および前記押さえ板に巻き付けられた前記毛髪から前記毛髪巻付構造体および前記押さえ板を引き離す第１の引離ステップと、前記使用者が、前記ヘアーアイロンに設けられた機構であって、前記把持部の端部に連結された毛髪巻付構造体の周方向の長さを変更するように構成された周長変更機構を操作して、前記毛髪巻付構造体の周方向の長さを変更する変更ステップと、前記使用者が、前記周方向の長さが変更された前記熱が発生している前記外周面と前記押さえ板とに前記毛髪を挟持させる第２の挟持ステップと、前記使用者が、前記周方向の長さが変更された前記熱が発生している前記外周面と前記押さえ板とにより前記毛髪が挟持された状態で、前記毛髪巻付構造体および前記押さえ板に前記毛髪を巻付ける第２の巻付ステップと、前記使用者が、前記第２の巻付ステップにおいて前記毛髪巻付構造体および前記押さえ板に巻き付けられた前記毛髪から前記毛髪巻付構造体および前記押さえ板を引き離す第２の引離ステップと、を備えている。
【００４９】
これによれば、１回の加熱ステップで毛髪に複数種類の癖付けを施すことができる。
【００５０】
以下、図面を参照しながら、本発明の実施の形態のヘアーアイロン１０を説明する。なお、以下に説明される実施の形態の説明においては、ヘアーアイロン１０の長手方向に垂直な断面を横断面とする。
【００５１】
（実施の形態１）
図１〜図１４を参照して、本発明の実施の形態１のヘアーアイロン１０を説明する。また、図１７〜図２３を参照して、ヘアーアイロン１０の使用方法、具体的には、使用者２００がどのようにヘアーアイロン１０を用いて毛髪３０に癖付けするかを説明する。なお、本発明は、以下に説明される実施の形態によって限定されるものではない。
【００５２】
まず、図１〜図３を用いて、本発明の実施の形態１のヘアーアイロン１０の概略を説明する。
【００５３】
本実施の形態においては、ヘアーアイロン１０の毛髪が巻き付けられる毛髪巻付構造体２の外周面４１０（図６参照）は実質的に円柱の外周面の形状をなしている。
【００５４】
そのため、本実施の形態においては、毛髪巻付構造体２の外形をなす円柱の中心軸が延びる方向を、軸方向または長手方向と呼ぶことにする。また、毛髪巻付構造体２の外形をなす円柱の中心軸に垂直な断面を横断面と呼ぶことにする。
【００５５】
ただし、毛髪巻付構造体２の外周面４１０の形状は、円柱に限定されず、毛髪が巻き付けられ得る形状であれば、いかなる形状であってもよい。
【００５６】
本実施の形態のヘアーアイロン１０は、図１および図２に示すように、使用者によって把持される把持部１を備えている。把持部１には、実質的に円筒形をなす毛髪巻付構造体２が連結されている。
【００５７】
また、把持部１には、毛髪巻付構造体２の外周面４１０と協働して毛髪を挟持する押さえ板３が連結されている。そのため、使用者は、毛髪巻付構造体２と押さえ板３との間に毛髪を挟持することができる。
【００５８】
また、使用者は、毛髪巻付構造体２と押さえ板３とにより毛髪が挟持された状態で、その毛髪を毛髪巻付構造体２に巻き付けることができる。したがって、使用者は、本実施の形態のその毛髪にカール形状の癖付けを施すことができる。
【００５９】
本実施の形態においては、横断面において、押さえ板３の円弧形状と毛髪巻付構造体２の外周面４１０の円弧形状とは、互いに対応する凹凸関係を有している。したがって、押さえ板３と、毛髪巻付構造体２の外周面４１０とは隙間なく接触する。
【００６０】
ただし、本発明のヘアーアイロンは、押さえ板３と毛髪巻付構造体２の外周面４１０とが隙間なく接触するものに限定されない。また、本発明の押さえ板および毛髪巻付構造体は、図示された構成に限定されず、押さえ板の内側面と毛髪巻付構造体２の外周面４１０とが協働して毛髪を挟持することができるものであれば、いかなるものであってもよい。
【００６１】
把持部１は、図２および図３に示すように、把持部１の上部を構成する第１の半割筒体１１と、把持部１の下部を構成する第２の半割筒体１２とを含んでいる。第１の半割筒体１１と第２の半割筒体１２とは、図７に示すように、ビス１３によって接合されている。
【００６２】
なお、第１の半割筒体１１の上側面には、図１および図２に示すように、化粧プレート８が嵌め込まれている。また、把持部１の端部には、図７に示すように、電源コードが接続される接続部９が取り付けられている。
【００６３】
第１の半割筒体１１は、図７に示される毛髪巻付構造体２側の端部の近傍に設けられた操作部１６の孔１８に挿入される軸部５を備えている。操作部１６は、その軸部５まわりに回転可能であり、押さえ板３は、操作部１６に固定されているため、操作部１６の回動にともなって回動する。
【００６４】
操作部１６は、図７に示すように、ばね１９によって付勢されている。したがって、使用者は、ばね１９の弾性力に反発しながら押さえ板３を操作することにより、押さえ板３を毛髪巻付構造体２から離れるように移動させることができる。
【００６５】
また、使用者が押さえ板３を離すと、ばね１９の復元力により、押さえ板３が毛髪巻付構造体２に近づくように移動した後、押さえ板３と毛髪巻付構造体２とが接触する。したがって、使用者は、操作部１６を操作することにより、押さえ板３を毛髪巻付構造体２から離したり、毛髪巻付構造体２に近づけたりすることができる。
【００６６】
把持部１の側面は、図２に示すように、第１の半割筒体１１の側面と第２の半割筒体１２の側面とによって構成されている。第１の半割筒体１１の側面と第２の半割筒体１２の側面とに跨るように、開口部１４が形成されている。開口部１４から温度調節スイッチ１５が突出している。温度調節スイッチ１５は、後述される加熱部４２ａ，４２ｂに通電し、加熱部４２ａ，４２ｂを発熱させるか否かを切り替えるために設けられている。
【００６７】
把持部１は、図５に示すように、横断面が円弧状の外周面を有しており、全体として円柱に類似する形状に形成されている。ただし、把持部1の外形は、円柱形状に類似する形状に限定されるものではなく、使用者が握ることができる形状であれば、いかなる形状であってもよい。
【００６８】
毛髪巻付構造体２は、図１および図２に示すように、把持部１の先端に連結されている。毛髪巻付構造体２は、図６に示すように、横断面が円弧形状を有する外周面４１０を有している。
【００６９】
外周面４１０は、高い伝熱性を有する金属製の部材により構成されている。外周面４１０は、図７に示すように、加熱部４２ａおよび加熱部４２ｂに隣接して配置されている。そのため、外周面４１０は、発熱し、高温状態になる。なお、押さえ板３も高い伝熱性を有する金属製の部材により構成されている。
【００７０】
毛髪巻付構造体２の内側には、図７に示すように、温度ヒューズ４０ａおよび温度センサ４０ｂが取り付けられている。温度センサ４０ｂが取得した信号は、図７に示す把持部１内の制御部７に送信される。
【００７１】
制御部７は、温度センサ４０ｂから送られてきた信号により、毛髪巻付構造体２の外周面４１０の温度を把握する。それにより、制御部７は、外周面４１０の温度情報に基づいて、加熱部４２ａおよび加熱部４２ｂに流れる電流を制御する。そのため、加熱部４２ａ，４２ｂが外周面４１０へ供給する熱量が調節される。
【００７２】
また、外周面４１０の目標温度は、使用者による温度調節スイッチ１５の操作によって制御部７に送られる信号に基づいて変更され得る。したがって、使用者は、毛髪巻付構造体２の外周面４１０の温度の調節を行うことができる。
【００７３】
たとえば、使用者により温度調節スイッチ１５がある温度になるように操作されると、制御部７は、外周面４１０の温度が所定値以下になれば、加熱部４２ａおよび加熱部４２ｂに発熱させる。
【００７４】
一方、制御部７は、外周面４１０の温度が所定値より大きな特定値以上になれば、加熱部４２ａおよび加熱部４２ｂの発熱を停止させる。それにより、外周面４１０の温度は、所定値と特定値との間の使用者が望むある温度に近い温度に維持される。
【００７５】
本実施の形態の毛髪巻付構造体２は、図６に示すように、第１の巻付胴体部４１ａ、第２の巻付胴体部４１ｂ、および第３の巻付胴体部４１ｃを備えている。つまり、毛髪巻付構造体２は、３つの円弧形状部分に分割されている。
【００７６】
ただし、本発明の毛髪巻付構造体２の形状は、図７に示す形状に限定されず、毛髪を巻きつけて、カール形状を毛髪に転写できる構成であれば、いかなる構成であってもよい。毛髪巻付構造体２は、４つ以上の部分に分割されていてもよい。また、毛髪巻付構造体２は、複数の部分が一体化したときに、円柱形状を構成しなくでもよい。
【００７７】
たとえば、毛髪巻付構造体２は、複数の部分が一体化されたときに角部が円弧形状を有する実質的に角柱の形状を構成するものであってもよい。毛髪巻付構造体２は、上記したように、毛髪が巻き付けられる構成であればいかなるものであってもよい。
【００７８】
第１の巻付胴体部４１ａおよび第２の巻付胴体部４１ｂの内部には、それぞれ、熱源としての加熱部４２ａおよび４２ｂが埋め込まれている。一方、第３の巻付胴体部４１ｃの内部には加熱部が設けられていない。
【００７９】
第３の巻付胴体部４１ｃは、毛髪巻付構造体２の周長が変更された場合に、図６に示すように、第１の巻付胴体部４１ａと第２の巻付胴体部４１ｂとの間にそれらに隣接するように挿入される。このとき、加熱部４２ａおよび４２ｂのそれぞれの熱エネルギーが、第１の巻付胴体部４１ａおよび第２の巻付胴体部４１ｂを介して、第３の巻付胴体部４１ｃへ間接的に与えられる。したがって、第３の巻付胴体部４１ｃも高温状態になる。
【００８０】
図６に示すように、第１の巻付胴体部４１ａ、第２の巻付胴体部４１ｂ、および第３の巻付胴体部４１ｃは、それぞれ、外周面４１０を構成する第１の部分４１０ａ、第２の部分４１０ｂ、および第３の部分４１０ｃを有している。
【００８１】
ただし、第３の巻付胴体部４１ｃの外側面である第３の部分４１０ｃは、後述される回転ダイヤル５６を使用者が操作することにより、外周面４１０を構成したり、外周面４１０を構成しなかったりする。
【００８２】
また、第１の巻付胴体部４１ａ、第２の巻付胴体部４１ｂ、および第３の巻付胴体部４１ｃのそれぞれの全表面は、フッ素樹脂でコーティングされている。そのため、第１の巻付胴体部４１ａ、第２の巻付胴体部４１ｂ、および第３の巻付胴体部４１ｃから使用者の肌への急激な熱伝達が防止されている。
【００８３】
したがって、使用者が不用意に高温状態となった第１の巻付胴体部４１ａ、第２の巻付胴体部４１ｂ、および第３の巻付胴体部４１ｃに触れたとしても、使用者が火傷することが防止されている。
【００８４】
図７に示すように、第１の巻付胴体部４１ａの一方の端部４１ａ１と他方の端部４１ａ２とは、第１の巻付胴体部４１ａを軸方向に貫通する貫通路４１ａｘによって連通している。この貫通路４１ａｘには、第１の加熱部４２ａが挿入されている。
【００８５】
図７に示すように、第２の巻付胴体部４１ｂの一方の端部４１ｂ１と他方の端部４１ｂ２とは、第２の巻付胴体部４１ｂを軸方向に貫通する貫通路４１ｂｘによって連通している。この貫通路４１ｂｘには、第２の加熱部４２ｂが挿入されている。
【００８６】
さらに、図７に示すように、第２の巻付胴体部４１ｂの長さ方向（軸方向）の一方の端部４１ｂ１および他方の端部４１ｂ２には、それぞれ、一方の軸５１ａおよび他方の軸５１ｂが取り付けられている。
【００８７】
図７に示されるように、第３の巻付胴体部４１ｃの長さ方向（軸方向）における一方の端部４１ｃ１および他方の端部４１ｃ２には、それぞれ、一方の軸５２ａおよび他方の軸５２ｂが取り付けられている。
【００８８】
次に、図７を用いて、本実施の形態の周長変更機構５０の概略が説明される。本明細書においては、周長変更機構５０は、図７において破線で囲まれた複数の部品が一体化された機構を意味する。ただし、本発明の周長変更機構は、図７に示される機構に限定されず、使用者によって操作されることにより、毛髪巻付構造体２の周方向の長さを変更し得る機構であれば、いかなる機構であってもよい。
【００８９】
本実施の形態の周長変更機構５０の一部は、毛髪巻付構造体２内の空間を利用して設けられている。また、周長変更機構５０は、図７に示すように、回転ダイヤル５６、第１の回転部材５４ａ、第１の状態固定部材５３ａ、回転シャフト５５、第２の状態固定部材５３ｂ、第２の回転部材５４ｂ、およびネジ５７ａ，５７ｂを備えている。
【００９０】
周長変更機構５０を構成する部分のうち、回転ダイヤル５６、第１の回転部材５４ａ、第２の回転部材５４ｂ、および回転シャフト５５は、使用者の操作により毛髪巻付構造体２の長手方向に延びる仮想の回転軸まわりに回転する回転構造体を構成している。
【００９１】
周長変更機構５０を構成する部分のうち、第１の状態固定部材５３ａおよび第２の状態固定部材５３ｂは、把持部１に対する位置および姿勢が固定されており、前述の回転構造体と協働して、第１の巻付胴体部４１ａと第２の巻付胴体部４１ｂとを相対的に移動させる状態固定構造体を構成している。
【００９２】
ただし、本発明の回転構造体および状態固定構造体は、前述の構成に限定されず、互いに協働して毛髪巻付構造体２の周方向の長さを変更することができる構成であれば、いかなる構成であってもよい。
【００９３】
回転シャフト５５は、毛髪巻付構造体２内において毛髪巻付構造体２の軸方向に沿って延びている。回転シャフト５５の一方の端部５５ａには、第１の回転部材５４ａが固定されている。回転シャフト５５の他方の端部５５ｂには、第２の回転部材５４ｂが固定されている。
【００９４】
第１の回転部材５４ａおよび第２の回転部材５４ｂは、第２の巻付胴体部４１ｂの一方の軸５１ａおよび他方の軸５１ｂを摺動可能に支持している。そのため、第２の巻付胴体部４１ｂは、第１の回転部材５４ａおよび第２の回転部材５４ｂの回転にともなって、第１の回転部材５４ａおよび第２の回転部材５４ｂに対して移動する。
【００９５】
以上から、第２の巻付胴体部４１ｂは、第１の巻付胴体部４１ａに対して移動する。
【００９６】
また、周長変更機構５０は、第１の状態固定部材５３ａおよび第２の状態固定部材５３ｂを備えている。第１の状態固定部材５３ａは、その突起部６６ａが第１の巻付胴体部４１ａの一方の端部４１ａ１に形成された貫通路４１ａｘの一方の開口部に差し込まれている。それにより、第１の状態固定部材５３ａは、第１の巻付胴体部４１ａの一方の端部４１ａ１に固定されている。
【００９７】
また、第１の状態固定部材５３ａは、第１の回転部材５４ａの内側において、第１の回転部材５４ａに隣接するように設けられている。回転シャフト５５の一方の端部５５ａは、第１の状態固定部材５３ａを摺動可能に貫通している。
【００９８】
第２の状態固定部材５３ｂは、その突起部６６ｂが第１の巻付胴体部４１ａの他方の端部４１ａ２に形成された貫通路４１ａｘの他方の開口部に差し込まれている。それにより、第２の状態固定部材５３ｂは、第１の巻付胴体部４１ａの他方の端部４１ａ２に固定されている。
【００９９】
第２の状態固定部材５３ｂは、第２の回転部材５４ｂの内側に第２の回転部材５４ｂに隣接するように設けられている。回転シャフト５５の他方の端部５５ｂは、第２の状態固定部材５３ｂを摺動可能に貫通している。
【０１００】
第１の状態固定部材５３ａおよび第２の状態固定部材５３ｂは、いずれも、第２の巻付胴体部４１ｂの移動開始状態および移動終了状態のそれぞれにおいて、第１の回転部材５４ａ、回転シャフト５５、および第２の回転部材５４ｂの状態を固定する。このように、第１の状態固定部材５３ａおよび第２の状態固定部材５３ｂは、毛髪巻付構造体２の周方向の長さの変更の前後の状態を維持する。
【０１０１】
回転ダイヤル５６は、第１の回転部材５４ａに固定されている。そのため、使用者が回転ダイヤル５６を回転させると、第１の回転部材５４ａ、回転シャフト５５、および第２の回転部材５４ｂが回転する。したがって、使用者は、回転ダイヤル５６を操作することにより、第２の巻付胴体部４１ｂの移動開始状態と移動終了状態とを切り替えることができる。
【０１０２】
上記の周長変更機構５０を具体的に説明すると、次のようになる。
【０１０３】
図７から分かるように、第２の巻付胴体部４１ｂの一方の端部４１ｂ１および他方の端部４１ｂ２は、それぞれ、第１の状態固定部材５３ａおよび第２の状態固定部材５３ｂに摺動可能に当接している。
【０１０４】
第２の巻付胴体部４１ｂの一方の軸５１ａおよび他方の軸５１ｂは、それぞれ、第１の状態固定部材５３ａの長孔６１ａおよび第２の状態固定部材５３ｂの長孔６１ｂに摺動可能に挿入されており、長孔６１ａおよび長孔６１ｂに沿って摺動することができる。
【０１０５】
図７から分かるように、第３の巻付胴体部４１ｃの一方の端部４１ｃ１および他方の端部４１ｃ２は、それぞれ、第１の状態固定部材５３ａおよび第２の状態固定部材５３ｂに摺動可能に当接している。
【０１０６】
第３の巻付胴体部４１ｃの一方の軸５２ａおよび他方の軸５２ｂは、それぞれ、第１の状態固定部材５３ａの長孔６２ａおよび第２の状態固定部材５３ｂの長孔６２ｂに摺動可能に挿入されている。第３の巻付胴体部４１ｃの一方の軸５２ａおよび他方の軸５２ｂは、それぞれ、長孔６２ａおよび長孔６２ｂに沿って摺動することができる。
【０１０７】
図７から分かるように、第１の巻付胴体部４１ａの一方の端部４１ａ１および他方の端部４１ａ２は、それぞれ、第１の状態固定部材５３ａおよび第２の状態固定部材５３ｂに固定されている。
【０１０８】
第１の回転部材５４ａおよび第２の回転部材５４ｂは、いずれも、金属製のカムで構成されている。第１の回転部材５４ａおよび第２の回転部材５４ｂは、それぞれ、長さ方向、すなわち、毛髪巻付構造体２の軸方向における第１の状態固定部材５３ａおよび第２の状態固定部材５３ｂの外側面に摺動可能に設けられている。
【０１０９】
第１の状態固定部材５３ａおよび第２の状態固定部材５３ｂは、第１の巻付胴体部４１ａ、第２の巻付胴体部４１ｂ、および第３の巻付胴体部４１ｃを保持する保持部材として機能する。
【０１１０】
図７から分かるように、第１の回転部材５４ａおよび第２の回転部材５４ｂには、それぞれ、第１の長孔６３ａおよび第２の長孔６３ｂが設けられている。第１の長孔６３ａおよび第２の長孔６３ｂには、それぞれ、第２の巻付胴体部４１ｂの一方の軸５１ａおよび他方の軸５１ｂが差し込まれている。
【０１１１】
第１の回転部材５４ａおよび第２の回転部材５４ｂには、それぞれ、第１の長孔６４ａおよび第２の長孔６４ｂが設けられている。第１の長孔６４ａおよび第２の長孔６４ｂには、それぞれ、第３の巻付胴体部４１ｃの一方の軸５２ａおよび他方の軸５２ｂが差し込まれている。
【０１１２】
第１の回転部材５４ａおよび第２の回転部材５４ｂは、図７から分かるように、ほぼ円筒形の毛髪巻付構造体２の仮想の回転中心軸に沿って軸方向に延び、その仮想の回転中心軸まわりに回転する回転シャフト５５に連結されている。回転シャフト５５は、円周方向、すなわち、仮想の回転中心軸まわり回転力を第１の回転部材５４ａおよび第２の回転部材５４ｂのそれぞれに伝達する。
【０１１３】
回転シャフト５５の一方の端部５５ａには、使用者が回転シャフト５５に回転動作をさせるためのスイッチとしての回転ダイヤル５６がネジ５７ａにより連結されている。
【０１１４】
回転ダイヤル５６は、一方側に開口を有するボウル状の構造を有している。回転ダイヤル５６のボウル構造の開口部の内周面５６１は、図８に示すように、第１の状態固定部材５３ａの外側円周面５３１に沿うように設けられている。回転シャフト５５の他方の端部５５ｂには、ネジ５７ｂが締結されている。
【０１１５】
なお、スイッチは、回転ダイヤル５６に限定されず、第1の回転部材５４ａおよび第２の回転部材５４ｂに回転力を伝達することができるものであれば、いかなるものであってもよい。
【０１１６】
たとえば、スイッチは、把持部１に設けられた押しボタンであってよい。この場合、使用者がその押しボタンを押すと、第２の回転部材５４ｂを回転させる機構が把持部１内に設けられていてもよい。
【０１１７】
図８に示すように、回転ダイヤル５６の開口部の内周面５６１には、４つの凸形状リブ５６２ａ，５６２ｂ，５６２ｃ，５６２ｄが設けられている。第１の状態固定部材５３ａの外側円周面５３１には、凸形状リブ５３２ａおよび凸形状リブ５３２ｂが設けられている。
【０１１８】
回転ダイヤル５６に回転力を加えたとき、たとえば、回転ダイヤル５６の内周面５６１上の凸形状リブ５６２ａおよび凸形状リブ５６２ｃが、それぞれ、第１の状態固定部材５３ａの外側円周面５３１上の凸形状リブ５３２ａおよび凸形状リブ５３２ｂを乗り越える。そのため、使用者が回転ダイヤル５６を操作しなければ、回転ダイヤル５６が逆方向へ回転しない。
【０１１９】
図７に示すように、回転シャフト５５は、毛髪巻付構造体２に内側において、仮想の回転中心軸に沿って延び、第１の状態固定部材５３ａおよび第２の状態固定部材５３ｂのそれぞれの回転中心部を貫通している。回転シャフト５５の一方の端部５５ａおよび他方の端部５５ｂは、それぞれ、第１の回転部材５４ａの回転中心部および第２の回転部材５４ｂの回転中心部に固定されている。
【０１２０】
回転シャフト５５の一方の端部５５ａの端面の中心部および他方の端部５５ｂの端面の中心部には、それぞれ、一方のネジ孔および他方のネジ孔が設けられている。一方のネジ孔および他方のネジ孔には、それぞれ、ネジ５７ａおよび５７ｂが螺合している。
【０１２１】
したがって、ネジ５７ａおよびネジ５７ｂは、回転ダイヤル５６、第１の回転部材５４ａ、第１の状態固定部材５３ａ、毛髪巻付構造体２、第２の状態固定部材５３ｂ、および第２の回転部材５４ｂを一体化させている。
【０１２２】
次に、上記したヘアーアイロン１０の使用方法および動作が説明される。
【０１２３】
まず、使用者が上記のヘアーアイロン１０を用いて毛髪に癖付けを行うための方法が説明される。
【０１２４】
使用者は、毛髪に所定の癖付けを行う際に、温度調節スイッチ１５を切り替える。それにより、電流が加熱部４２ａ，４２ｂに流れる。その結果、加熱部４２ａおよび加熱部４２ｂは、高温状態になる。つまり、毛髪に癖付けを行うための準備が終了する。
【０１２５】
この状態で、使用者は、押さえ板３が毛髪巻付構造体２から離れるように、操作部１６を把持部１に向かって押す。次に、使用者は、押さえ板３と毛髪巻付構造体２との間に癖付けを行う毛髪の束を差し込む。その後、使用者は、押さえ板３が毛髪巻付構造体２に近づくように、操作部１６を放す。それにより、押さえ板３と毛髪巻付構造体２とにより毛髪の束が挟持される。
【０１２６】
この状態で、使用者は、毛髪巻付構造体２および押さえ板３により新たに形成された外周面に毛髪を巻き付ける。使用者は、毛髪の巻付けが完了した状態で、所定時間が経過するのを待つ。使用者は、所定時間が経過すると、毛髪巻付構造体２および押さえ板３により新たに形成された外周面に対する毛髪の巻き付けを少しずつ解除する。
【０１２７】
次に、使用者は、操作部１６を操作することにより、押さえ板３と毛髪巻付構造体２とを離間させる。最後に、使用者は、押さえ板３と毛髪巻付構造体２とを毛髪から引き離す。
【０１２８】
以上により、毛髪巻付構造体２の外周面４１０の形状に応じたカール形状が毛髪に転写される。つまり、使用者の毛髪への癖付けが終了する。
【０１２９】
次に、毛髪巻付構造体２の外周面４１０の周方向の長さを変更することにより、異なる形状の癖付けを行うための方法について説明する。
【０１３０】
使用者は、毛髪巻付構造体２の外周形状を変更する前の段階においては、図１１に示すように、第３の巻付胴体部４１ｃは、第１の巻付胴体部４１ａと第２の巻付胴体部４１ｂとによって内包されている。
【０１３１】
この状態で、使用者は、毛髪巻付構造体２の外周形状を変更するために、回転ダイヤル５６を円周方向に回転する。これにより、回転ダイヤル５６に連結された第１の回転部材５４ａが回転する。それに伴って、第１の回転部材５４ａに一方の端部５５ａが連結された回転シャフト５５が回転する。さらに、それに伴って、回転シャフト５５の他方の端部５５ｂに連結された第２の回転部材５４ｂが、図９および図１０において回転矢印で示される方向に、第２の回転部材５４ｂが回転する。
【０１３２】
その結果、第２の巻付胴体部４１ｂの一方の軸５１ａは、第１の回転部材５４ａの長孔６３ａに沿って移動する（図示せず）。また、図９および図１０に示すように、第２の巻付胴体部４１ｂの他方の軸５１ｂは、第２の回転部材５４ｂの長孔６３ｂに沿って移動する。さらに、第３の巻付胴体部４１ｃの一方の軸５２ａは、第１の回転部材５４ａの長孔６４ａに沿って移動する（図示せず）。加えて、第３の巻付胴体部４１ｃの他方の軸５２ｂは、図９および図１０に示すように、第２の回転部材５４ｂの長孔６４ｂに沿って移動する。
【０１３３】
また、第２の巻付胴体部４１ｂの一方の軸５１ａは、第１の状態固定部材５３ａの長孔６１ａに沿って移動する（図示せず）。第２の巻付胴体部４１ｂの他方の軸５１ｂは、図９および図１０に示すように、第２の状態固定部材５３ｂの長孔６１ｂに沿って移動する。
【０１３４】
第３の巻付胴体部４１ｃの一方の軸５２ａは、第２の状態固定部材５３ｂの長孔６２ａに沿って移動する（図示せず）。第３の巻付胴体部４１ｃの他方の軸５２ｂは、図９および図１０に示すように、第２の状態固定部材５３ｂの長孔６２ｂに沿って移動する。
【０１３５】
以上のように、第２の回転部材５４ｂの回転に伴って、第２の巻付胴体部４１ｂの他方の軸５１ｂが、図９に示す状態から図１０に示す状態へ移動する。また、第３の巻付胴体部４１ｃの他方の軸５２ｂが、図９に示す状態から図１０に示す状態へ移動する。それらの移動に伴って、第２の巻付胴体部４１ｂは、図１１に示す状態から図１２に示す状態へ変化する。つまり、第３の巻付胴体部４１ｃは、毛髪巻付構造体２の内部から外部へ向かう。
【０１３６】
このとき、図１３に示される第２の巻付胴体部４１ｂの支点軸５８ｂは、図１４に示す第２の状態固定部材５３ｂの支点孔５９ｂ内において、仮想軸Ａ７１（図１１および図１２参照）を回転中心軸として回転矢印で示す方向に回転する。
【０１３７】
それにより、第２の巻付胴体部４１ｂの他方の軸５１ｂは、図１４に示す第２の状態固定部材５３ｂの長孔６１ｂ内において直線矢印で示される方向に移動する。第３の巻付胴体部４１ｃの他方の軸５２ｂは、図１４に示す第２の状態固定部材５３ｂの長孔６２ｂ内において直線矢印で示される方向に移動する。
【０１３８】
その結果、第２の巻付胴体部４１ｂは、図１２において回転矢印で示すように、第１の巻付胴体部４１ａから離れるように仮想軸Ａ７１を回転中心軸として回転する。また、第３の巻付胴体部４１ｃは、図１２において直線矢印で示すように、第１の巻付胴体部４１ａと第２の巻付胴体部４１ｂとの間に形成された隙間に挿入されるように移動する。
【０１３９】
なお、第１の状態固定部材５３ａおよび毛髪巻付構造体２の動作と、第２の状態固定部材５３ｂおよび毛髪巻付構造体２の動作とは、所定の横断面に対して、鏡面対称である。
【０１４０】
本実施の形態においては、周長変更機構５０は、第２の巻付胴体部４１ｂが第１の巻付胴体部４１ａに対して移動するものである。しかしながら、本発明の周長変更機構は、第１の巻付胴体部４１ａおよび第２の巻付胴体部４１ｂの双方が把持部１に対して移動するような機構であってもよい。
【０１４１】
以上のように、本実施の形態のヘアーアイロン１０によれば、第３の巻付胴体部４１ｃが、図１２に矢印で示すように、第１の巻付胴体部４１ａと第２の巻付胴体部４１ｂとの間に形成された隙間に挿入される。したがって、毛髪巻付構造体２の外周の形状が変化する。
【０１４２】
それにより、毛髪巻付構造体２の外周面４１０の周方向の長さが増加する。その後、使用者は、外周面４１０の周方向の長さが増加した毛髪巻付構造体２を使用して、毛髪に癖付けを行う。したがって、毛髪巻付構造体２の変化した外周形状が毛髪に転写される。したがって、使用者は、異なる種類の外周形状を有する毛髪巻付構造体２を用いて、毛髪に異なる種類の癖付けをすることができる。
【０１４３】
なお、図１２に示す状態から図１１に示す状態へ毛髪巻付構造体２の外周面４１０の形状を変化させる際には、回転ダイヤル５６を前述の回転方向とは逆方向に回転させればよい。その際の各構造の動作は、前述した動作の逆の順序の動作になる。
【０１４４】
以上のように、本実施の形態のヘアーアイロン１０においては、毛髪に所定の癖付けがなされる毛髪巻付構造体２が複数に分割された構造となっており、毛髪巻付構造体２の外周面４１０の形状が変化することが可能になっている。したがって、毛髪巻付構造体２の外周面４１０の周方向の長さを変更することが可能である。その結果、使用者は毛髪に所定の癖付けを行う際に、複数種類のヘアーアイロン１０または複数種類の巻付胴体部を準備することなく、１台のヘアーアイロン１０で、毛髪に複数種類の癖付けを施すことができる。
【０１４５】
本実施の形態では、分割された巻付胴体部のそれぞれに熱源から与えられる熱量が一定となるように体積を異なったものとしている。よって、毛髪巻付構造体２の温度が全体を通して均一となり、温度制御を行う際に局所的な温度検知で全体の温度を一定に制御することすることもできる。
【０１４６】
本実施の形態の毛髪巻付構造体２は、３つの部分に分割されるものであるが、本発明の毛髪巻付構造体は、４以上の部分に分割されてもよい。この場合は、特に、毛髪巻付構造体２によって構成される外周形状をより様々な形状にすることが可能となる。そのため、使用者は、毛髪により多くの種類の形状の癖付けを行うことができる。
【０１４７】
本実施の形態の第１の回転部材５４ａおよび第２の回転部材５４ｂは、金属材料により形成されているが、樹脂材料等の他の材料により形成されていてもよい。これによれば、第１の回転部材５４ａおよび第２の回転部材５４ｂを軽量化することができる。そのため、使用者のヘアーアイロン１０の操作性を向上させることができる。
【０１４８】
本実施の形態の毛髪巻付構造体２は、ネジ５７ａおよび５７ｂによるネジ止めにより、一体化されているが、溶接または接着などにより、一体的に固定されていてもよい。これによれば、ネジの部品点数を削減することが可能になる。また、ヘアーアイロン１０を軽量化することができる。そのため、使用者のヘアーアイロン１０の操作性を向上させることができる。
【０１４９】
（実施の形態２）
図１５および図１６を参照して、本発明の実施の形態２のヘアーアイロン１０を説明する。本実施の形態のヘアーアイロン１０は、実施の形態１のヘアーアイロン１０とほぼ同様の構成を有している。そのため、実施の形態１および実施の形態２において、同一の構成の説明は繰り返さない。以下の本実施の形態のヘアーアイロン１０の説明においては、実施の形態１のヘアーアイロン１０と異なる点のみを説明する。
【０１５０】
図１５および図１６は、本実施の形態２の毛髪巻付構造体２の横断面の模式図である。本実施の形態のヘアーアイロン１０は、図１５および図１６に示すように、毛髪に癖付けを行う毛髪巻付構造体２が３つの巻付胴体部、すなわち、第１の巻付胴体部９１、第２の巻付胴体部９２、および第３の巻付胴体部９３に分割されている。
【０１５１】
実施の形態１においては、周長変更機構５０が毛髪巻付構造体２の周長を変更する前の段階においては、第３の巻付胴体部４１ｃが第１の巻付胴体部４１ａおよび第２の巻付胴体部４１ｂの内側に設けられている。しかしながら、本実施の形態においては、第３の巻付胴体部９３は、周長変更機構５０が毛髪巻付構造体２の周長を変更する前の段階から、第１の巻付胴体部９１および第２の巻付胴体部９２とともに、毛髪巻付構造体２の外周面の一部を構成している。
【０１５２】
第１の巻付胴体部９１、第２の巻付胴体部９２、および第３の巻付胴体部９３は、いずれも、断面が円弧状に形成されており、一体化されることによって、１つの円筒形状を構成する。第１の巻付胴体部９１の両端部は、第１の状態固定部材９８ａおよび第２の状態固定部材９８ｂに固定されている。第２の巻付胴体部９２、および第３の巻付胴体部９３のそれぞれの軸方向の両端部は、第１の状態固定部材９８ａおよび第２の状態固定部材９８ｂに摺動可能に当接している。
【０１５３】
本実施の形態においては、３つの巻付胴体部９１，９２，９３は、いずれも、横断面（軸方向に垂直な断面）が円弧状をなしている。３つの巻付胴体部９１，９２，９３の横断面の形状が円弧形状をなしていることは、ヘアーアイロン１０の製造を簡単に行うことできるという点において好ましいが、本発明の必須の構成ではない。
【０１５４】
本実施の形態の第１の巻付胴体部９１は、把持部１に対する位置が固定されているが、第２の巻付胴体部９２および第３の巻付胴体部９３は、いずれも、毛髪巻付構造体２の径方向において移動することが可能である。しかしながら、本発明のヘアーアイロンは、第２の巻付胴体部９２および第３の巻付胴体部９３のみならず、第１の巻付胴体部９１も把持部１に対する移動するものであってもよい。
【０１５５】
なお、第１の巻付胴体部９１の一方の端部は、実施の形態１の第１の状態固定部材５３ａに対応する第１の状態固定部材９８ａに固定されている。また、第１の巻付胴体部９１の他方の端部は、実施の形態１の第２の状態固定部材５３ｂに対応する第２の状態固定部材９８ｂに固定されている。
【０１５６】
第２の巻付胴体部９２の一方の軸９４ａおよび他方の軸９４ｂは、それぞれ、第１の状態固定部材９８ａの長孔９６ａおよび第２の状態固定部材９８ｂの長孔９６ｂに摺動可能に挿入されている。第３の巻付胴体部９３の一方の軸９５ａおよび他方の軸９５ｂは、第１の状態固定部材９８ａの長孔９７ａおよび第２の状態固定部材９８ｂの長孔９７ｂに摺動可能に挿入されている。
【０１５７】
第１の状態固定部材９８ａおよび第２の状態固定部材９８ｂには、それぞれ、実施の形態１において説明された第１の回転部材５４ａおよび第２の回転部材５４ｂが隣接するように設けられている。
【０１５８】
この第１の回転部材５４ａおよび第２の回転部材５４ｂにそれぞれ設けられた径方向に延びる長孔６３ａおよび長孔６３ｂには、それぞれ、第２の巻付胴体部９２の一方の軸９４ａおよび他方の軸９４ｂが挿入されている。第２の巻付胴体部９２の一方の軸９４ａおよび他方の軸９４ｂは、それぞれ、長孔６３ａおよび長孔６３ｂに沿って移動することが可能である。
【０１５９】
第１の回転部材５４ａおよび第２の回転部材５４ｂにそれぞれ設けられた長孔６４ａおよび長孔６４ｂには、それぞれ、第３の巻付胴体部９３の一方の軸９５ａおよび他方の軸９５ｂが挿入されている。第３の巻付胴体部９３の一方の軸９５ａおよび他方の軸９５ｂは、それぞれ、長孔６４ａおよび長孔６４ｂに沿って移動することが可能である。
【０１６０】
本実施の形態においては、第１の回転部材５４ａおよび第２の回転部材５４ｂの長孔等の形状は、第１の状態固定部材９８ａおよび第２の状態固定部材９８ｂに対して第２の巻付胴体部９２および第３の巻付胴体部９３を上記のように移動させるように形成されている。
【０１６１】
なお、本実施の形態の毛髪巻付構造体２は、上記のように構成されているが、本発明の毛髪巻付構造体は、第１の巻付胴体部９１が第２の巻付胴体部９２および第３の巻付胴体部９３と同様に径方向に移動可能なものであってもよい。つまり、本実施の形態の毛髪巻付構造体２は、複数の巻付胴体部の全てが径方向に移動することが可能に構成されていてもよい。
【０１６２】
また、本実施の形態の毛髪巻付構造体２は、複数の巻付胴体部のうちの１つのみが径方向に移動可能に構成されていてもよい。つまり、本実施の形態の毛髪巻付構造体２は、毛髪巻付構造体２を構成する複数の巻付胴体部の少なくともいずれか１つが径方向に移動することにより、外周面の周方向の長さを変更させるものであればよい。
【０１６３】
次に、実施の形態２のヘアーアイロン１０の使用方法および動作を説明する。
【０１６４】
使用者が実施の形態１のスイッチとしての回転ダイヤル５６と同様の回転ダイヤル５６を操作することにより、実施の形態１において説明した回転シャフト５５および第１の回転部材５４ａおよび第２の回転部材５４ｂに回転が伝達される。それにより、第２の巻付胴体部９２の一方の軸９４ａおよび他方の軸９４ｂが、それぞれ、第１の状態固定部材９８ａおよび第２の状態固定部材９８ｂに設けられた長孔９６ａおよび９６ｂに沿って、図１５に示す位置から図１６に示す位置まで移動する。また、第３の巻付胴体部９３の一方の軸９５ａおよび他方の軸９５ｂが、それぞれ、第１の状態固定部材９８ａおよび第２の状態固定部材９８ｂに設けられた長孔９７ａおよび長孔９７ｂに沿って図１５に示す位置から図１６に示す位置まで移動する。
【０１６５】
以上により、図１６に示された毛髪巻付構造体２の外周面９００は、隙間９１２ａ，９１２ｂ，９１２ｃのそれぞれが大きくなった分だけ、図１５に示された状態よりも長い円周を有することになる。そのため、使用者が、本実施の形態のヘアーアイロン１０を用いても、毛髪に複数種類の癖付けを施すことができる。
【０１６６】
また、本実施の形態においては、毛髪巻付構造体２の横断面において、複数の巻付胴体部のそれぞれを径方向に移動させることにより、毛髪巻付構造体２の外周面の周方向の長さを変更している。そのため、実施の形態１のヘアーアイロン１０に比較して、毛髪巻付構造体２の外周面をより真円に近い形状にすることができる。
【０１６７】
なお、本実施の形態のヘアーアイロン１０においては、複数の隙間９１２ａ，９１２ｂ，９１２ｃには、いかなる部材も挿入さていない例が示されている。しかしながら、実施の形態１と同様の方法により、複数の隙間９１２ａ，９１２ｂ，９１２ｃの少なくともいずれか１つに何らかの部材が挿入されてもよい。また、複数の隙間９１２ａ，９１２ｂ，９１２ｃのそれぞれに何らかの部材が挿入されてもよい。
【０１６８】
さらに、第１の巻付胴体部９１、第２の巻付胴体部９２、および第３の巻付胴体部９３の外周面の曲面と連続する曲面を有する部材が複数の隙間９１２ａ，９１２ｂ，９１２ｃのそれぞれに挿入されることが望ましい。つまり、複数の隙間９１２ａ，９１２ｂ，９１２ｃのそれぞれには、隣接する巻付胴体部の外周面と挿入された部材の外周面との間で段差部が生じない部材が挿入されることが望ましい。
【０１６９】
また、複数の隙間９１２ａ，９１２ｂ，９１２ｃのそれぞれの幅に一致する幅を有する部材が複数の隙間９１２ａ，９１２ｂ，９１２ｃのそれぞれに挿入されることが好ましい。毛髪が複数の隙間９１２ａ，９１２ｂ，９１２ｃのいずれかから毛髪巻付構造体２の内側の空間に入ってしまうことを抑制することができるからである。
【０１７０】
以下、実施の形態１および２のヘアーアイロン１０の構成および効果をまとめると次のようになる。
【０１７１】
（１）  実施の形態１（２）のヘアーアイロン１０は、把持部１と、把持部１の端部に連結され、外周面４１０を有し、周方向の長さが変更され得る毛髪巻付構造体２とを備えている。
【０１７２】
また、ヘアーアイロン１０は、毛髪巻付構造体２の周方向の長さを変更するように構成された周長変更機構５０と、外周面４１０から発熱するように毛髪巻付構造体２を加熱し得る加熱部４２ａ，４２ｂとを備えている。
【０１７３】
さらに、ヘアーアイロン１０は、周長変更機構５０が毛髪巻付構造体２の周方向の長さを変更する前後のいずれにおいても、毛髪巻付構造体２と協働して毛髪を挟持し得るように構成された押さえ板３を備えている。
【０１７４】
上記の構成によれば、毛髪巻付構造体２の周方向の長さを他の部材を使用することなく変更することができる。それにより、１台のヘアーアイロン１０で毛髪巻付構造体２の周方向の長さの相違に対応した複数種類の癖付けを毛髪に対して施すことができる。
【０１７５】
したがって、使用者は、複数種類の癖付けを施すことを可能にするために、複数種類の癖付けに対応した複数種類の毛髪巻付構造体または複数種類のヘアーアイロンを所持する必要がなくなる。
【０１７６】
本明細書において、毛髪巻付構造体の周方向の長さとは、毛髪巻付構造体に太さがない仮想の線状部材を巻き付けたときの仮想の線状部材の１周分の長さである。したがって、毛髪巻付構造体が複数の巻付胴体部により構成されている場合には、毛髪巻付構造体２の周方向の長さは、次のように考える。
【０１７７】
毛髪巻付構造体２の周方向の長さは、隣接する巻付胴体部同士の間に隙間がない場合には、複数の巻付胴体部の外周面４１０（９００）の周方向の長さと同一である。
【０１７８】
また、毛髪巻付構造体２の周方向の長さは、隣接する巻付胴体部同士の間に隙間がある場合には、複数の巻付胴体部の外周面４１０（９００）の周方向の長さと、少なくとも１つの隙間４１（９１２ａ，９１２ｂ，９１２ｃ）の距離とを加えた長さである。
【０１７９】
上記のように毛髪巻付構造体２の周方向の長さを定義する理由は、毛髪巻付構造体２に巻き付けられるのは仮想の線状部材に近似する毛髪であるからである。
【０１８０】
なお、押さえ板３は、毛髪巻付構造体２および把持部１のいずれに対して回転動可能に連結されていてもよい。
【０１８１】
また、押さえ板３および毛髪巻付構造体２は、周長変更機構５０が周方向の長さを変更する前後のいずれにおいても、互いに協働して毛髪を挟持することができるものであれば、いかなるものであってもよい。
【０１８２】
また、毛髪巻付構造体２および押さえ板３は、それらによって形成される新たな外周面に毛髪を巻付けることができるように構成されているものであれば、いかなるものであってもよい。
【０１８３】
たとえば、押さえ板３は、周長変更機構５０が周方向の長さを変更する前後において、毛髪巻付構造体２の外形の変化に対応して、位置が移動したり、形状が変化したりするものであることが好ましい。ただし、押さえ板３の位置および形状の変化は、本発明の必須の要件ではない。
【０１８４】
（２）  実施の形態１（２）の毛髪巻付構造体２は、それぞれが毛髪巻付構造体２の長手方向に延び、かつ、毛髪巻付構造体２の周方向に沿って互いに隣接するように配置された第１の巻付胴体部４１ａ（９１）および第２の巻付胴体部４１ｂ（９２）を含んでいてもよい。
【０１８５】
この場合、周長変更機構５０は、第1の巻付胴体部４１ａ（９１）と第２の巻付胴体部４１ｂ（９２）とを相対的に移動させることにより、毛髪巻付構造体２の周方向の長さを変更するように構成されていてもよい。
【０１８６】
これによれば、第１の巻付胴体部４１ａ（９１）と第２の巻付胴体部４１ｂ（９２）との相対的な移動により形成された隙間４１（９１２ａ，９１２ｂ，９１２ｃ）の分だけ、毛髪巻付構造体２の周方向の長さを変更することができる。
【０１８７】
なお、本発明の毛髪巻付構造体は、２つの巻付胴体部のみからなるものに限定されず、第１の巻付胴体部および第２の巻付胴体部以外にさらなる巻付胴体部を備えていてもよい。
【０１８８】
たとえば、本発明の毛髪巻付構造体は、４つの巻付胴体部を備えており、４つの巻付胴体部のそれぞれが移動し、４つの隙間のそれぞれが開かれたり閉じられたりするか、または、４つの隙間のそれぞれが大きくなったり、小さくなったりするものであってもよい。
【０１８９】
本実施の形態の毛髪巻付構造体２は、複数の巻付胴体部を備えており、それらのうちの少なくとも１つが移動することにより、移動した巻付胴体部とそれに隣接する巻付胴体部との間の隙間の大きさ（隙間の大きさがゼロの場合を含む）が変更され得るものであれば、いかなるものであってもよい。
【０１９０】
（３）  実施の形態１の毛髪巻付構造体２は、第１の巻付胴体部４１ａおよび第２の巻付胴体部４１ｂの内側に設けられ、毛髪巻付構造体２の長手方向に延びる第３の巻付胴体部４１ｃを含んでいることが好ましい。この場合、周長変更機構５０は、第１の巻付胴体部４１ａと第２の巻付胴体部４１ｂとの間に第３の巻付胴体部４１ｃを挿入することにより、毛髪巻付構造体２の周方向の長さを変更するように構成されていることが好ましい。
【０１９１】
これによれば、第３の巻付胴体部４１ｃの外周面４１０の周方向の長さの分だけ、毛髪巻付構造体２の周方向の長さを変更することができる。
【０１９２】
さらに、外周面４１０を構成する第３の部分４１０ｃが、外周面４１０を構成する第１の部分４１０ａおよび第２の部分４１０ｂに連続する曲面であることが好ましい。横断面において、外周面４１０を構成する第１の部分４１０ａ、第２の部分４１０ｂ、および第３の部分４１０ｃの正接（タンジェント）が連続性のある関数（連続関数）になっていることが望ましい。
【０１９３】
これによれば、第１の部分４１０ａと第２の部分４１０ｂとの間の隙間４１を第３の部分４１０ｃによりなだらかなに変化させることができる。その結果、外周面４１０の形状をカール状の癖付けにより適した形状にすることが可能になる。
【０１９４】
（４）  実施の形態の周長変更機構５０は、第１の巻付胴体部４１ａと第２の巻付胴体部４１ｂとを、毛髪巻付構造体２の長手方向に延びる仮想の回転軸（図１１および図１２の仮想軸Ａ７１）まわりに相対的に回転させることにより、毛髪巻付構造体２の周方向の長さを変更するように構成されていてもよい。
【０１９５】
これによれば、毛髪巻付構造体２の長手方向において均一に周方向の長さを変更することができる。
【０１９６】
（５）  実施の形態の毛髪巻付構造体２は、第１の巻付胴体部９１および第２の巻付胴体部９２のうち少なくともいずれか一方（第２の巻付胴体部９２）を毛髪巻付構造体２の径方向に移動させることにより、毛髪巻付構造体２の周方向の長さを変更するように構成されていてもよい。
【０１９７】
この構成によれば、直線方向の移動という簡単な移動で周方向の長さの変更を実現することができる。
【０１９８】
また、実施の形態の毛髪巻付構造体２は、第１の巻付胴体部９１および第２の巻付胴体部９２のみからなる場合も含めて、それぞれが外周面９００の一部を構成する複数の巻付胴体部を含んでいてもよい。
【０１９９】
この場合、周長変更機構は、複数の巻付胴体部のうちの少なくともいずれか１つを毛髪巻付構造体の径方向に移動させることにより、毛髪巻付構造体の周方向の長さを変更するように構成されていてもよい。また、複数の巻付胴体部のそれぞれが径方向に移動すれば、全体として、円形の横断面に近い新たな外周面が形成される。
【０２００】
（６）  実施の形態の第１の巻付胴体部４１ａ（９１）は、押さえ板３に対する位置が固定されており、押さえ板３が第１の巻付胴体部４１ａ（９１）と協働して毛髪を挟持し得るように構成されていることが好ましい。
【０２０１】
これによれば、周長変更機構５０が毛髪巻付構造体２の周方向における長さを変更した場合も含めて、押さえ板３と第１の巻付胴体部４１ａ（９１）との互いの位置関係は、常に一定に保持されている。そのため、第２の巻付胴体部４１ｂ（９２）は、押さえ板３と第１の巻付胴体部４１ａ（９１）との間の隙間４１（９１２ａ，９１２ｂ，９１２ｃ）の大きさおよびそれらが毛髪を挟持する力を一定に維持し易くすることができる。その結果、ヘアーアイロン１０の操作性が向上する。
【０２０２】
（７）  実施の形態の周長変更機構５０は、毛髪巻付構造体２の長手方向に延びる他の仮想の回転軸まわりに回転する回転構造体（第１の回転部材５４ａ、回転シャフト５５、第２の回転部材５４ｂ、回転ダイヤル５６）を含んでいてもよい。
【０２０３】
また、周長変更機構５０は、把持部１に対する位置および姿勢が固定されている構造体であって、かつ、回転構造体と協働して第１の巻付胴体部４１ａ（９１）と第２の巻付胴体部４１ｂ（９２または９３）とを相対的に移動させる状態固定構造体（第１の状態固定部材５３ａ、第２の状態固定部材５３ｂ）を含んでいてもよい。
【０２０４】
上記の構成によれば、使用者は、回転構造体を回転させる操作により、第１の巻付胴体部４１ａと第２の巻付胴体部４１ｂとを相対的に移動させることができる。
【０２０５】
（８）  本実施の形態のヘアーアイロン１０は、状態固定構造体（第１の状態固定部材５３ａ、第２の状態固定部材５３ｂ）が、第２の巻付胴体部４１ｂの移動開始状態および移動終了状態のそれぞれにおいて、回転構造体（第１の回転部材５４ａ、回転シャフト５５、第２の回転部材５４ｂ、回転ダイヤル５６）の状態を固定することが可能に構成されている。
【０２０６】
これによれば、毛髪巻付構造体の周方向の長さが変更された状態を維持することができる。
【０２０７】
なお、具体的には、第１の状態固定部材５３ａおよび第２の状態固定部材５３ｂが、それぞれ、第１の回転部材５４ａおよび第２の回転部材５４ｂの位置および姿勢を固定する。
【０２０８】
（９）  実施の形態の周長変更機構５０は、毛髪巻付構造体２内において毛髪巻付構造体２の長手方向に延び、かつ、前述の他の仮想の回転軸まわりに回転する回転シャフト５５を備えていてもよい。周長変更機構５０は、回転シャフト５５の一方端に固定された第１の回転部材５４ａと、回転シャフト５５の他方端に固定された第２の回転部材５４ｂとを有していてもよい。
【０２０９】
第２の巻付胴体部４１ｂ（９２）は、第１の回転部材５４ａおよび第２の回転部材５４ｂに摺動可能に支持されていてもよい。第２の巻付胴体部４１ｂ（９２）は、第１の回転部材５４ａおよび第２の回転部材５４ｂの回転にともなって第１の回転部材５４ａおよび第２の回転部材５４ｂに対して摺動することにより、第１の巻付胴体部４１ａ（９１）に対して相対的に移動するように構成されていてもよい。
【０２１０】
上記の構成によれば、毛髪巻付構造体２の長さ方向の両側にある第１の回転部材５４ａおよび第２の回転部材５４ｂを用いて第２の巻付胴体部４１ｂを移動させることができる。したがって、第２の巻付胴体部４１ｂの移動時における第２の巻付胴体部４１ｂの支持が安定する。
【０２１１】
また、毛髪巻付構造体２内の空間を利用して、周長変更機構５０の一部を設けることができる。したがって、毛髪巻付構造体２内の空間を有効に利用することができる。
【０２１２】
（１０）  実施の形態の周長変更機構５０は、回転シャフト５５の一方の端部が摺動可能に貫通し、第１の巻付胴体部４１ａ（９１）の一方の端部に固定された第１の状態固定部材５３ａを有していてもよい。ヘアーアイロン１０は、回転シャフト５５の他方の端部が摺動可能に貫通し、第１の巻付胴体部４１ａ（９１）の他方の端部に固定された第２の状態固定部材５３ｂを備えていてもよい。
【０２１３】
第１の状態固定部材５３ａおよび第２の状態固定部材５３ｂは、それぞれ、第２の巻付胴体部４１ｂ（９１）の移動開始状態および移動終了状態のそれぞれにおいて、第１の回転部材５４ａおよび第２の回転部材５４ｂの状態を固定することが可能に構成されていてもよい。
【０２１４】
これによれば、毛髪巻付構造体２の周方向の長さが変更された状態を、毛髪巻付構造体２の長さ方向における両側に分けて配置された第１の状態固定部材５３ａおよび第２の状態固定部材５３ｂによって維持することができる。したがって、毛髪巻付構造体２の周方向の長さが変更された状態を安定させることができる。
【０２１５】
（１１）  実施の形態の周長変更機構５０は、第１の回転部材５４ａおよび第２の回転部材５４ｂの少なくともいずれか一方に固定されたスイッチ（回転ダイヤル５６）を有していてもよい。スイッチは、移動開始状態（図９、図１１参照）と移動終了状態（図１０、図１２参照）との切り替えがなされるように、前述の回転構造体（第１の回転部材５４ａ、回転シャフト５５、および第２の回転部材５４ｂ）を回転させるものであってもよい。
【０２１６】
これによれば、使用者は、スイッチ（回転ダイヤル５６）の操作により、毛髪巻付構造体２の周方向の長さを容易に変更することができる。
【０２１７】
（１２）  本実施の形態の回転構造体（第１の回転部材５４ａ、回転シャフト５５、第２の回転部材５４ｂ、回転ダイヤル５６）は、当該回転構造体と前述の状態固定構造体（第１の状態固定部材５３ａ、第２の状態固定部材５３ｂ）との間に生じる摩擦力（たとえば、第１の回転部材５４ａと第１の状態固定部材５３ａとの間の摩擦力、および、第２の回転部材５４ｂと第２の状態固定部材５３ｂとの間の摩擦力）を利用して、前述の状態固定構造体に対して無段階に回転摺動し、状態固定構造体に対する位置関係が無段階に固定されるように構成されていてもよい。
【０２１８】
上記の構成によれば、使用者は、毛髪巻付構造体２の周方向の長さを自らの好みの長さに変更することができる。
【０２１９】
（１３）  本実施の形態の回転構造体（第１の回転部材５４ａ、回転シャフト５５、第２の回転部材５４ｂ、回転ダイヤル５６）は、前述の状態固定構造体（第１の状態固定部材５３ａ、第２の状態固定部材５３ｂ）に設けられた複数の係止部（凸形状リブ５３２ａ，５３２ｂ）にそれぞれ係止される複数の被係止部（凸形状リブ５６２ａ，５６２ｂ，５６２ｃ，５６２ｄ）を含んでいてもよい。
【０２２０】
前述の状態固定構造体に対して段階的に回転し、前述の状態固定構造体に対する位置関係が段階的に固定されるように構成されていてもよい。
【０２２１】
上記の構成によれば、使用者は、毛髪巻付構造体２の周方向の長さを自らの好みに合わせて、段階的に変更することができる。
【０２２２】
（１４）  本実施の形態のヘアーアイロン１０は、第１の巻付胴体部４１ａに固定され、第１の巻付胴体部４１ａを加熱する第１の加熱部４２ａと、第２の巻付胴体部４１ｂに固定され、第２の巻付胴体部４１ｂを加熱する第２の加熱部４２ｂと、を備えていてもよい。
【０２２３】
上記の構成によれば、第１の加熱部４２ａおよび第２の加熱部４２ｂは、それぞれ、第１の巻付胴体部４１ａおよび第２の巻付胴体部４１ｂの移動に伴って移動する。したがって、第１の巻付胴体部と第２の巻付胴体部との相対的な移動の前後のいずれにおいも、第１の巻付胴体部と第２の巻付胴体部とに同様の態様で加熱することができる。
【０２２４】
（１５）  本実施の形態のヘアーアイロン１０は、第１の巻付胴体部４１ａおよび第２の巻付胴体部４１ｂのうちの少なくともいずれか一方に固定され、外周面の温度を測定する温度センサ４０ｂと、温度センサ４０ｂにより取得された温度情報に基づいて第１の加熱部４２ａおよび第２の加熱部４２ｂを制御する制御部７と、を備えていてもよい。
【０２２５】
上記の構成によれば、温度センサ４０ｂは、第１の巻付胴体部４１ａおよび第２の巻付胴体部４１ｂのうちの少なくともいずれか一方の移動に伴って移動する。そのため、外周面４１０の温度測定の条件の変化なしに、外周面４１０の温度情報を取得することができる。したがって、第１の加熱部４２ａおよび第２の加熱部４２ｂの発熱状態を容易に制御することができる。
【０２２６】
（１６）  本実施の形態のヘアーアイロン１０は、押さえ板３に連結され、押さえ板３を毛髪巻付構造体２へ近づけたり、押さえ板３を毛髪巻付構造体２から遠ざけたりすることを可能にする操作部１６を備えていることが好ましい。また、操作部１６が、把持部１に回動可能に取り付けられていることが好ましい。
【０２２７】
これによれば、毛髪巻付構造体２に押さえ板３の回動の中心が設けられている場合に比較して、毛髪巻付構造体２の周方向の長さの変更に起因した押さえ板３の回動の中心の移動がないため、周長変更の前後の押さえ板３の操作性が向上する。
【０２２８】
（１７）  次に、図１７〜図２３を参照して、ヘアーアイロン１０の使用方法を説明する。
【０２２９】
本実施の形態のヘアーアイロン１０の使用方法においては、まず、図１７に示すように、使用者２００が把持部１を把持する。次に、使用者が、図２１に示すように、ヘアーアイロン１０に設けられた機構であって、把持部１の端部に連結された毛髪巻付構造体２の周方向の長さを変更するように構成された周長変更機構５０を操作する（具体的には、使用者２００が回転ダイヤル５６を回転させる）。それにより、毛髪巻付構造体２の周方向の長さが変更される。
【０２３０】
このとき、図２１においては、回転ダイヤル５６は、毛髪巻付構造体２の軸方向に延びる仮想の軸まわりに９０度だけ回転している。また、毛髪巻付構造体２の周方向の長さが大きくなっているため、図２１においては、毛髪巻付構造体２の幅が大きくなっている。
【０２３１】
なお、以下に示す図２２および図２３においても同様に、毛髪巻付構造体２の軸方向に延びる仮想の軸まわりに９０度だけ回転している。また、毛髪巻付構造体２の周方向の長さが大きくなっているため、図２２および図２３のそれぞれにおいては、毛髪巻付構造体２の幅が大きくなっている。
【０２３２】
その後、使用者２００が、図１８において矢印Ｚで示す方向に温度調節スイッチ１５を移動させる。それにより、毛髪巻付構造体２を加熱するように構成された加熱部４２ａ，４２ｂが操作される。その結果、把持部１の端部に連結された毛髪巻付構造体２の外周面４１０から熱が発生する。次に、使用者２００が、図２２に示すように、毛髪巻付構造体２と協働して毛髪を挟持するように構成された押さえ板３を操作して、熱が発生している外周面４１０と押さえ板３とに毛髪３０を挟持させる。
【０２３３】
その後、使用者２００が、図２３において矢印Ｘで示す方向に毛髪巻付構造体２を回転させる。それにより、熱が発生している外周面４１０と押さえ板３とにより毛髪３０が挟持された状態で、毛髪巻付構造体２および押さえ板３に毛髪３０が巻付けられる。次に、使用者が、図２３において矢印Ｙで示す方向に毛髪巻付構造体２を移動させる。それにより、毛髪巻付構造体２および押さえ板３に巻き付けられた毛髪３０から毛髪巻付構造体２および押さえ板３が引き離される。
【０２３４】
上記の方法によれば、変更され得る毛髪巻付構造体２の周方向の長さごとに、毛髪３０に複数種類の癖付けを施すことができる。
【０２３５】
また、毛髪巻付構造体２および押さえ板３に毛髪を螺旋状に巻き付けて、螺旋状の毛髪３０の中心軸方向に毛髪巻付構造体２および押さえ板３を引き抜けば、毛髪３０に螺旋形状の癖付けを施すことができる。ただし、巻付ステップにおいて毛髪３０から毛髪巻付構造体２および押さえ板３、すなわちヘアーアイロン１０を引き離す方向は、他の方向であってもよい。
【０２３６】
前述の引離ステップにおいては、使用者２００が操作部１６を操作することにより、毛髪巻付構造体２と押さえ板３との間の隙間がより大きく開かれた状態で、毛髪巻付構造体２および押さえ板３が毛髪から引き離されてもよい。このとき、毛髪巻付構造体２および押さえ板３は、毛髪３０が延びる方向に沿って移動させられてもよいし、螺旋状の毛髪３０の中心軸方向に毛髪３０から引き抜かれてもよい。
【０２３７】
（１８）  本実施の形態のヘアーアイロン１０の使用方法においては、まず、図１７に示すように、把持ステップにおいて、使用者２００が把持部１を把持する。次に、加熱ステップにおいて、使用者２００が、図１８において矢印Ｚで示す方向に温度調節スイッチ１５を移動させる。それにより、毛髪巻付構造体２を加熱するように構成された加熱部４２ａ，４２ｂが操作される。その結果、把持部１の端部に連結された毛髪巻付構造体２の外周面４１０から熱が発生する。
【０２３８】
その後、第１の挟持ステップにおいて、図１９に示すように、使用者２００が、毛髪巻付構造体２と協働して毛髪３０を挟持するように構成された押さえ板３を操作する。それにより、熱が発生している外周面４１０と押さえ板３とに毛髪３０が挟持される。次に、第１の巻付ステップにおいて、使用者２００が、図２０において矢印Ｘで示す方向にヘアーアイロン１０を回転させる。それにより、熱が発生している外周面４１０と押さえ板３とにより毛髪３０が挟持された状態で、毛髪巻付構造体２および押さえ板３に毛髪３０が巻付けられる。
【０２３９】
その後、第１の引離ステップにおいて、使用者２００が、図２０において矢印Ｙで示す方向に毛髪巻付構造体２を移動させる。それにより、第１の巻付ステップにおいて毛髪巻付構造体２および押さえ板３に巻き付けられた毛髪３０から毛髪巻付構造体２および押さえ板３が引き離される。
【０２４０】
次に、変更ステップにおいて、図２１に示すように、使用者２００が、ヘアーアイロン１０に設けられた機構であって、把持部１の端部に連結された毛髪巻付構造体２の周方向の長さを変更するように構成された周長変更機構５０を操作する(回転ダイヤル５６を回転させる）。それにより、毛髪巻付構造体２の周方向の長さが変更される。
【０２４１】
なお、以下に示す図２２および図２３においても同様に、毛髪巻付構造体２の軸方向に延びる仮想の軸まわりに９０度だけ回転している。また、毛髪巻付構造体２の周方向の長さが大きくなっているため、図２２および図２３においては、毛髪巻付構造体２の幅が大きくなっている。
【０２４２】
その後、第２の挟持ステップにおいて、図２２に示すように、使用者２００が、周方向の長さが変更された熱が発生している外周面４１０と押さえ板３とに毛髪３０を挟持させる。
【０２４３】
次に、第２の巻付ステップにおいて、使用者２００が、図２３において矢印Ｘで示す方向にヘアーアイロン１０を回転させる。それにより、周方向の長さが変更された熱が発生している外周面４１０と押さえ板３とにより毛髪３０が挟持された状態で、毛髪巻付構造体２および押さえ板３に毛髪３０が巻付けられる。
【０２４４】
その後、第１の引離ステップにおいて、使用者２００が、図２３において矢印Ｙで示す方向にヘアーアイロン１０を移動させる。それにより、第２の巻付ステップにおいて毛髪巻付構造体２および押さえ板３に巻き付けられた毛髪３０から毛髪巻付構造体２および押さえ板３が引き離される。
【０２４５】
上記の方法によれば、１回の加熱ステップで毛髪３０に複数種類の癖付けを施すことができる。
【０２４６】
また、毛髪巻付構造体２および押さえ板３に毛髪３０を螺旋状に巻き付けて、螺旋状の毛髪の中心軸方向に毛髪巻付構造体２および押さえ板３を引き抜けば、毛髪３０に螺旋形状の癖付けを施すことができる。ただし、巻付ステップにおいて毛髪３０から毛髪巻付構造体２および押さえ板３、すなわちヘアーアイロン１０を引き離す方向は、他の方向であってもよい。
【０２４７】
前述の第１および第２の引離ステップにおいては、使用者２００が操作部１６を操作することにより、毛髪巻付構造体２と押さえ板３との間の隙間がより大きく開かれた状態で、毛髪巻付構造体２および押さえ板３が毛髪３０から引き離されてもよい。このとき、毛髪巻付構造体２および押さえ板３は、毛髪３０が延びる方向に沿って移動させられてもよいし、螺旋状の毛髪３０の中心軸方向に毛髪３０から引き抜かれてもよい。
【産業上の利用可能性】
【０２４８】
以上のように、本発明のヘアーアイロンは、１台のヘアーアイロンで複数種類の癖付けを毛髪に施すことができるため、例えば、ペット用のヘアーアイロンまたは衣料等に用いられる化学繊維の加工装置におけるアイロンの用途に適用され得る。
【符号の説明】
【０２４９】
１  把持部
２  毛髪巻付構造体
３  押さえ板
７  制御部
１０  ヘアーアイロン
１６  操作部
４０ｂ  温度センサ
４１，９１２ａ，９１２ｂ，９１２ｃ  隙間
４１ａ，９１  第１の巻付胴体部
４１ｂ，９２  第２の巻付胴体部
４１ｃ，９３  第３の巻付胴体部
４２ａ  第１の加熱部
４２ｂ  第２の加熱部
５０  周長変更機構
５３ａ  第１の状態固定部材
５３ｂ  第２の状態固定部材
５４ａ  第１の回転部材
５４ｂ  第２の回転部材
５５  回転シャフト
５６  回転ダイヤル
４１０，９００  外周面
４１０ａ，９１ａ  第１の部分
４１０ｂ，９２ａ  第２の部分
４１０ｃ，９３ａ  第３の部分
５３２ａ，５３２ｂ，５６２ａ，５６２ｂ，５６２ｃ，５６２ｄ  凸形状リブ
Ａ７１  仮想軸
【図１】
0006041153.tif 000002
【図２】
0006041153.tif 000003
【図３】
0006041153.tif 000004
【図４】
0006041153.tif 000005
【図５】
0006041153.tif 000006
【図６】
0006041153.tif 000007
【図７】
0006041153.tif 000008
【図８】
0006041153.tif 000009
【図９】
0006041153.tif 000010
【図１０】
0006041153.tif 000011
【図１１】
0006041153.tif 000012
【図１２】
0006041153.tif 000013
【図１３】
0006041153.tif 000014
【図１４】
0006041153.tif 000015
【図１５】
0006041153.tif 000016
【図１６】
0006041153.tif 000017
【図１７】
0006041153.tif 000018
【図１８】
0006041153.tif 000019
【図１９】
0006041153.tif 000020
【図２０】
0006041153.tif 000021
【図２１】
0006041153.tif 000022
【図２２】
0006041153.tif 000023
【図２３】
0006041153.tif 000024